(57)【要約】【課題】追加改造により新たに車いす用インジケーターを取り付ける場合において、新たに収納ボックスを設置する必要が生じないエレベーターのインジケーター設置器具を提供する。【解決手段】一般用インジケーター３を装着するための第１平面部５ａと車いす用インジケーター４を装着するための第２平面部５ｂとを有する矩形状のプレート部材５からなり、プレート部材５の第１平面部５ａに形成された一般用インジケーター３のコード１２’を貫通させるための第１貫通部１０と、プレート部材５の第２平面部５ｂに形成された車いす用インジケーター４のコード１２を貫通させるための第２貫通部１１と、を有している。【選択図】図２
2018012553.tif 000002
【特許請求の範囲】
【請求項１】
一般用インジケーターと車いす用インジケーターを一体に備えた一体型インジケーターを建物の壁部に取り付けるためのエレベーターのインジケーター設置器具であって、
前記エレベーターのインジケーター設置器具は、前記一般用インジケーターを装着するための第１平面部と前記車いす用インジケーターを装着するための第２平面部とを有する矩形状のプレート部材を備え、
前記プレート部材の第１平面部に形成された前記一般用インジケーターのコードを貫通させるための第１貫通部と、
前記プレート部材の第２平面部に形成された前記車いす用インジケーターのコードを貫通させるための第２貫通部と、を有している
エレベーターのインジケーター設置器具。
【請求項２】
前記第２貫通部は、前記第２平面部から前記第１平面部にわたって形成されている
請求項１に記載のエレベーターのインジケーター設置器具。
【請求項３】
前記第２貫通部には、前記車いす用インジケーターのコードをガイドするための溝部を備えたガイド部材が設けられている
請求項１に記載のエレベーターのインジケーター設置器具。
【請求項４】
前記ガイド部材は、前記第２貫通部の前記車いす用インジケーターが装着される側と反対側の開口部を覆うように設けられている
請求項３に記載のエレベーターのインジケーター設置器具。
【請求項５】
前記ガイド部材は、可撓性を有する弾性部材で構成されている
請求項３または４のいずれか一項に記載のエレベーターのインジケーター設置器具。
【請求項６】
前記一般用インジケーター及び車いす用インジケーターはそれぞれケースを有しており、該ケースには、前記一般用インジケーター及び車いす用インジケーターを前記プレート部材に固定するための締結具を挿入するための複数の形状の異なる貫通孔が形成されている
請求項１に記載のエレベーターのインジケーター設置器具。
【発明の詳細な説明】
【技術分野】
【０００１】
本発明は，エレベーター乗り場の所定位置に設置されて、かご呼び等の操作を行うためのインジケーターを建物の壁等に設置するためのエレベーターのインジケーター設置器具に関する。
【背景技術】
【０００２】
エレベーター乗り場には、乗客がかご呼び等の操作を行うための乗り場インジケーターが設置されている。乗り場インジケーターには、一般の人に向けた一般用インジケーターの他に、車いすを使用している人に向けた車いす用インジケーターがあり、車いす用インジケーターは、一般用インジケーターよりも下方の位置に設置される。
【０００３】
また、従来の乗り場インジケーターは、建物の壁に長方形の穴を開けて収納ボックスを収納し、その収納ボックス内でコネクタの接続等の配線作業を行う（例えば、特許文献１）。
【０００４】
近年では、収納ボックスの設置が不要なケースとカバーから成る薄い箱型のいわゆるウォールマウントインジケーターが開発されており、ウォールマウントインジケーターはビス等を用いて建物の壁に取り付けられる。
【先行技術文献】
【特許文献】
【０００５】
【特許文献１】特開２０１５−１５１２１２号公報
【発明の概要】
【発明が解決しようとする課題】
【０００６】
しかしながら、既設インジケーターをウォールマウントインジケーターに置き換えるエレベーターのリニューアル工事を行う場合においては、既設インジケーターの収納ボックスが建物の壁に埋設されているため、収納ボックスの撤去や壁の埋め戻し作業などの工程が発生してしまう。
【０００７】
また，埋め戻し作業等を行わずに既設インジケーターの収納ボックスを活用する場合においても，置き換えるウォールマウントインジケーターよりも既設インジケーターの収納ボックスが大きい場合には、ビス等によってウォールマウントインジケーターを建物の壁に取り付けることができない。
【０００８】
さらに、追加改造により車いす用インジケーターを新たに取り付ける場合には、別途車いす用インジケーター用の収納ボックスを設置するための穴空け作業が必要となってしまう。
【０００９】
本発明の目的は、上記の問題点を考慮し、追加改造により新たに車いす用インジケーターを取り付ける場合において、新たに収納ボックスを設置するための穴あけ作業等を必要としないエレベーターのインジケーター設置器具を提供することにある。
【課題を解決するための手段】
【００１０】
上記課題を解決し、本発明の目的を達成するため、本発明のエレベーターのインジケーター設置器具は、一般用インジケーターと車いす用インジケーターを一体に備えた一体型インジケーターを建物の壁部に取り付けるためのエレベーターのインジケーター設置器具であって、一般用インジケーターを装着するための第１平面部と車いす用インジケーターを装着するための第２平面部とを有する矩形状のプレート部材を備えている。さらに、プレート部材の第１平面部に形成された一般用インジケーターのコードを貫通させるための第１貫通部と、プレート部材の第２平面部に形成された車いす用インジケーターのコードを貫通させるための第２貫通部と、を有している。
【発明の効果】
【００１１】
本発明のエレベーターのインジケーター設置器具によれば、新しい乗り場インジケーターに置き換えるエレベーターのリニューアル工事を行う際に、車いす用インジケーターを追加する改造を行う場合であっても、新しい収納ボックスを設置するための穴あけ作業が不要となり、リニューアル工事の施工性を向上させることができる。
【図面の簡単な説明】
【００１２】
【図１】本発明の一実施の形態によるエレベーターのインジケーター設置器具を採用したエレベーター乗り場を示す正面図である。
【図２】図１に示した取り付けプレートの正面図である。
【図３】図２に示した取り付けプレートに車いす用インジケーターを装着した正面図である。
【図４】図３に示した取り付けプレートにガイド部材を装着した際の背面図である。
【図５】図３のＡ−Ａ線に沿った断面図である。
【図６】図２に示した取り付けプレートにより乗り場インジケーターを建物の壁部に取り付けた際の縦断面図である。
【図７】図６に示した乗り場インジケーターのケースを示す背面図である。
【発明を実施するための形態】
【００１３】
以下、本発明のエレベーターのインジケーター設置器具の実施の形態例（以下、「本例」という。）について、図１〜図６を参照して説明する。なお、各図において共通の部材には、同一の符号を付している。
図１は、本例のエレベーターのインジケーター設置器具を採用したエレベーター乗り場を示す正面図である。
【００１４】
図１に示すように、エレベーター乗り場には、出入口に開閉可能に設置された乗り場ドア１と、乗り場ドア１の近傍に位置する建物の壁部１７に設置された乗り場インジケーター２と、が備えられている。乗り場インジケーター２は、上方側に設けられた一般用インジケーター３と、一般用インジケーター３の下方端部に連接して設けられた車いす用インジケーター４と、を有している。本例の乗り場インジケーター２は、一般用インジケーター３と車いす用インジケーター４を一体に備えた一体型インジケーターである。一般用インジケーター３及び車いす用インジケーター４には、それぞれホールボタン１５、１６が設けられている。乗り場インジケーター２は、インジケーター設置器具である取り付けプレート５により、建物の壁部１７に取り付けられている。
【００１５】
図２は、上述した取り付けプレート５を拡大した正面図である。
図２に示すように、取り付けプレート５は、ステレンス等からなる金属製の平板状部材によって矩形の長方形状に形成されている。取り付けプレート５は、一般用インジケーター３を装着するための平面を備えた第１平面部５ａと、車いす用インジケーター４を装着するための平面を備えた第２平面部５ｂと、を備えている。また、第１平面部５ａ及び第２平面部５ｂの四隅には、溶接によりスタッドボルト８が設けられている。なお、本例の取り付けプレート５は長方形状であるが、一般用インジケーター３及び車いす用インジケーター４を装着することができればいかなる形状であってもよい。
【００１６】
第１平面部５ａの中央部には、取り付けプレート５に装着した一般用インジケーター３のコード１２’を、取り付けプレート５の表側から裏側へ貫通させるための矩形状の第１貫通部である開口部１０が形成されている。また、開口部１０の下端部の近傍には、キースイッチ２３の一部を貫通させるための円形のキースイッチ貫通孔９が形成されている。また、開口部１０の上端部の近傍とキースイッチ貫通孔９の下端部の近傍には、ねじ２６を挿通するための一対のねじ孔１８が設けられている。
【００１７】
第２平面部５ｂの上部には、装着した車いす用インジケーター４のコード１２を貫通させるための第２貫通部としてのホールボタン貫通孔１１が設けられている。ホールボタン貫通孔１１は、スイッチ貫通孔９及びねじ孔１８を避けるようにして形成されている。また、ホールボタン貫通孔１１は、第２平面部５ｂの上部から第１平面部５ａの下部にわたって形成され、細長く伸びた長方形状を有している。ホールボタン貫通孔１１は、取り付けプレート５を建物の壁部１７に取り付けた際に、ホールボタン貫通孔１１の先端部分が建物の壁部１７に設けられている収納ボックス６の空間部６ａに対向する位置に到達できる長さを有している。本例のホールボタン貫通孔１１は、細長く伸びた長方形状を有しているが、収納ボックス６の空間部６ａに対向する位置に到達することができるものであれば、いかなる形状であってもよい。
【００１８】
図３は、図２に示した取り付けプレート５に車いす用インジケーター４を装着した際の正面図である。すなわち、取り付けプレート５を表側から見たものである。
図３に示すように、車いす用インジケーター４は、取り付けプレート５の第２平面部５ｂに装着されている。
【００１９】
車いす用インジケーター４は、上昇呼びを登録する上昇乗り場ボタン１６ａおよび下降呼びを登録する下降乗り場ボタン１６ｂからなるホールボタンを備えたケース２０と、上昇乗り場ボタン１６ａおよび下降乗り場ボタン１６ｂから伸びるコード１２及びそのコード１２の先端に設けられたコネクタ２２と、ケース２０を塞ぐカバー（図示せず）と、を備えている。また、ケース２０の底面には、コード１２をホールボタン貫通孔１１へ貫通させるためのケース貫通孔２１が形成されている。
【００２０】
車いす用インジケーター４は、ケース貫通孔２１とホールボタン貫通孔１１の一部が重なるようにして、取り付けプレート５に装着されている。また、ホールボタン貫通孔１１には、ガイド部材１３が嵌合されている。ガイド部材１３の底部１３ａには、コード１２を引き出すための切り込み部２４が形成されており、切り込み部２４は、開口部１０に近い側に設けられている。
【００２１】
ケース貫通孔２１から引き出されたコード１２は、ガイド部材１３の切り込み部２４から開口部１０に向かって引き出されて、コード１２の先端に設けられたコネクタ２２が開口部１０に達するように配線される。
【００２２】
図４は、図３に示した取り付けプレート５の背面図である。すなわち、取り付けプレート５を裏側から見たものである。
図４にしめすように、ガイド部材１３の切り込み部２４から引き出されたコード１２の一部は、開口部１０とホールボタン貫通孔１１との間に設けられたコード保持部１９によって保持されており、コード１２の先端に設けられたコネクタ２２が開口部１０に達している状態が維持される。
【００２３】
本例のホールボタン貫通孔１１は、スイッチ貫通孔９及びねじ孔１８を避けるように形成されているので、切り込み部２４から引き出されたコード１２の配線がキースイッチ貫通孔９に嵌合されたキースイッチ２３やねじ孔１８に挿通されたねじ２６に妨げられることがない。これにより、車いす用インジケーター４のコネクタ２２を開口部１０に達するように配線することができる。
【００２４】
図５は、図３に示される取り付けプレート５をＡ−Ａ線に沿って切断した際の断面図である。
図５に示すように、本例のガイド部材１３は、底部１３ａと周壁部１３ｂとで構成されている。ガイド部材１３の底部１３ａは、ホールボタン貫通孔１１の形状に合わせて形成された平板状部材で構成されており、ガイド部材１３の周壁部１３ｂは、底部１３ｂの周端部に沿って立設するように構成されている。ガイド部材１３には、車いす用インジケーター４のコード１２の配線をガイドするための溝部２５が設けられている。溝部２５は、底部１３ａの上部に形成された空間部であり、溝部２５に収納されたコード１２は底部１３ａの上面に載置される。図５に示すように、本例の溝部２５には、車いす用インジケーター４の複数のコード１２が横方向に沿って一列に載置されている。
【００２５】
ガイド部材１３の溝部２５は、例えば、ＡＢＳ樹脂等で構成された１枚のゴム部材の中央部を削りとることにより形成される。なお、溝部２５の形状、大きさは、車いす用インジケーター４に使用されるコード１２の太さ等に合わせて適宜設定される。
【００２６】
また、取り付けプレート５の上部には、溝部２５の空間部を塞ぐようにして、車いす用インジケーター４のケース２０が装着されている。
【００２７】
本例では、ガイド部材１３で車いす用インジケーター４のコード１２をガイドすることにより、車いす用インジケーター４のコード１２を適切に配線することができる。また、ガイド部材１３に設けた溝部２５でコード１２を固定保持することにより、配線されたコード１２の状態を安定させることができる。
【００２８】
また、本例では、ガイド部材１３の底部１３ａによって、車いす用インジケーター４が装着される側と反対側（壁側）のホールボタン貫通孔１１の開口部分を塞いでいるので、乗り場インジケーター２を建物の壁部１７に取り付ける際に、コード１２が壁と接触して破損することを防止できる。また、ガイド部材１３の周壁部１３ｂにより、コード１２がホールボタン貫通孔１１の開口部分のエッジと接触して破損することを防止できる。また、底部１３ａの下部は平面状に構成されているので、底部１３ａと建物の壁部１７とを隙間なく密着させることにより、建物の壁部１７への乗り場インジケーター２の取付強度を向上させることができる。
【００２９】
また、ガイド部材１３を可撓性を有する弾性部材（ゴム部材）で構成することにより、ガイド部材１３をホールボタン貫通孔１１へ嵌合させる作業を容易にすることができる。また、ガイド部材１３の周壁部１３ｂと取り付けプレート５の内壁面５ａとの密着性を向上させて、ガイド部材１３がホールボタン貫通孔１１から外れてしまうことを防止することができる。
【００３０】
図６は、取り付けプレート５を用いて乗り場インジケーター２を建物の壁部１７に取り付けた際の縦断面図である。
図６に示すように、取り付けプレート５には、スタッドボルト８を介して、一般用インジケーター３及び車いす用インジケーター４を一体に備えた乗り場インジケーター２が装着されている。乗り場インジケーター２のカバーとケース１４、２０が装着された取り付けプレート５は、ねじ２６により、収納ボックス６に固設されたブラケット７に締結されて、建物の壁部１７に乗り場インジケーター２が取り付けられる。このとき、一般用インジケーター３の下端部の位置と既設インジケーターの下端部の位置とを一致させて、開口部１０の位置を収納ボックス６の空間部６ａに対向する位置に配置する。
【００３１】
車いす用インジケーター４のコード１２は、ホールボタン貫通孔１１に嵌合されたガイド部材１３の溝部２５にガイドされて、コード１２の先端に接続されたコネクタ２２が収納ボックス６の空間部６ａに位置するように配線される。なお、一般用インジケーター３のコード１２’に接続されたコネクタ２２’も収納ボックス６の空間部６ａに位置するように配線される。
【００３２】
本例によれば、新しい乗り場インジケーター２に置き換えるエレベーターのリニューアル工事を行う際に、新たに車いす用インジケーター４を追加する改造を行う場合であっても、既設の収納ボックス６内に追加した車いす用インジケーター４のコネクタ２２を収納する。すなわち、車いす用インジケーター４のコネクタ２２と建物内に既設されている信号ケーブルのコネクタ等との接続を既設の収納ボックス６内ですることができ、別途、新たに車いす用インジケーター４のコネクタ２２を収納するための収納ボックスを設置する必要がない。従って、収納ボックスを設置するための穴あけ作業等が不要となり、リニューアル工事の際の施工性を向上させることができる。
【００３３】
図７は、取り付けプレート５に取り付けられる新しい乗り場インジケーター２のケース１４，２０を建物の壁部１７側から見た背面図である。
図７に示すように、一般用インジケーター３のケース１４の上部には、ケース１４の長手方向に伸びるように形成された一対の長方形状のスタッドボルト貫通孔２７（縦孔）が形成されている。スタッドボルト貫通孔２７には、ケース１４を取り付けプレート５に装着する際に、取り付けプレート５に設けられたスタッドボルト８が挿入される。また、一般用インジケーター３のケース１４の下部には、ケース１４の短手方向に伸びるように形成された一対の長方形状の貫通孔２８（横孔）が形成されている。このように、ケース１４の上下部において形状が異なる貫通孔２７、２８を設けることにより、一般用インジケーター３のケース１４を取り付けプレート５に装着する際の取り付け位置の微調整を容易に行うことができる。なお、ケース１４に設けられた縦孔と横孔の上下は入れ替わっても構わない。また、ケース１４には、取り付けプレート５に設けられたキースイッチ貫通孔９，開口部１０、ねじ孔１８に対応する貫通孔が形成されている。
【００３４】
また、車いす用インジケーター４のケース２０の上部には一対の円形状のスタッドボルト貫通孔２９が形成されており、ケース２０の下部にはケース２０の短手方向に伸びるように形成された一対の長方形状のスタッドボルト貫通孔３０（横孔）が形成されている。なお、車いす用インジケーター４のケース２０の上部の貫通孔の形状が円形であるのは、車いす用インジケーター４は、一般用インジケーターに比べて地面からの高さ方向(長手方向)の長さが短いために位置調整が容易であり、長方形状に形成する必要性が少ないためである。
【００３５】
本例では、スタッドボルト貫通孔２７〜３０の形状をケース１４，２０の上下方向で異ならせているので、上下左右の位置がずれた状態で取り付けプレート５がブラケット７に取り付けられた場合であっても、一般用インジケーター３及び車いす用インジケーター４の位置をそれぞれのスタットボルト貫通孔２７〜３０の大きさの範囲で調節することができる。すなわち、ケース１４の上下部に設けられた縦穴と横穴の組合せにより、乗り場インジケーター２のケース１４，２０を、乗り場側からみた水平方向・地面からの高さ方向にあわせて取り付けることができる。また、取り付けプレート５に設けられたスタッドボルト８の設置位置のずれも、インジケーター２のケースに設けられたスタッドボルト貫通孔の形状２７〜３０により吸収し、インジケーター２のケース１４、２０を、乗り場側からみた水平方向・地面からの高さ方向にあわせて取り付けることができる。
【００３６】
つぎに、既設のインジケーターを新しいインジケーター２に交換する際の作業手順について説明する。
まず、既設のインジケーターを固定する際に使用していたブラケット７を除いて、既設のインジケーターの表示部や電気部品、コード等を取り除く。つぎに、収納ボックス６内に残されたブラケット７の間隔に合わせて、取り付けプレート５にねじ孔１８を形成する。
【００３７】
つぎに、取り付けプレート５に設けられたスタットボルト８の位置に合わせて、一般用インジケーター３のケース１４にスタッドボルト８を挿入するためのスタッドボルト貫通孔２７，２８及び車いす用インジケーター４のケース２０にスタッドボルト貫通孔２９，３０を形成する。
つぎに、スタッドボルト８に、一般用インジケーター３及び車いす用インジケーター４に形成したスタッドボルト貫通孔２７〜３０を挿入して、スタッドボルト８をナットで締結することにより、一般用インジケーター３及び車いす用インジケーター４を取り付けプレート５に固定装着する。
【００３８】
つぎに、取り付けプレート５に一般用インジケーター３及び車いす用インジケーター４を装着した状態で、ねじ孔１８にねじ２６を挿入してブラケット７に締結する。これにより、取り付けプレート５をブラケット７に固定して、一般用インジケーター３及び車いす用インジケーター４を建物の壁部１７に取り付ける。この際、既設インジケーターの収納ボックス６の空間部６ａは、コネクタ２２、２２’を内部に収容した状態で、取り付けプレート５によって覆われている。
【００３９】
なお、本発明は上述しかつ図面に示した実施の形態に限定されるものではなく、特許請求の範囲に記載した発明の要旨を逸脱しない範囲内で種々の変形実施が可能である。例えば、ガイド部材１３の溝部２５の構造は、本例に限定されるものではなく、コード１２が収納できる構造であればよい。
【符号の説明】
【００４０】
１…乗り場ドア、  ２…乗り場インジケーター、  ３…一般用インジケーター、  ４…車いす用インジケーター、  ５…取り付けプレート、  ５ａ…第１平面部、  ５ｂ…第２平面部、  ６…収納ボックス、  ７…ブラケット、  ８…スタッドボルト、  ９…キースイッチ貫通孔、  １０…開口部、  １１…ホールボタン貫通孔、  １２…コード、  １３…ガイド部材、  １３ａ…底部、  １３ｂ…周壁部、  １４…ケース、  １５…一般用ホールボタン、  １６…車いす用ホールボタン、１７…建物の壁部、  １８…ねじ孔、  １９…コード保持部、  ２０…ケース、  ２１…ケース貫通孔、  ２２…コネクタ、  ２３…キースイッチ、  ２４…切り込み部、  ２５…溝部、  ２６…ねじ、  ２７〜３０…スタッドボルト貫通孔
【図１】
2018012553.tif 000003
【図２】
2018012553.tif 000004
【図３】
2018012553.tif 000005
【図４】
2018012553.tif 000006
【図５】
2018012553.tif 000007
【図６】
2018012553.tif 000008
【図７】
2018012553.tif 000009